(57)【要約】【課題】ディスク記録部への書き込みエラーが発生した場合でも、良好な録画が可能となる録画装置を提供する。【解決手段】ディスク記録部と、半導体メモリと、前記ディスク記録部および前記半導体メモリの両方に映像音声データを書き込む第１制御部と、前記ディスク記録部に書き込まれた映像音声データと、前記半導体メモリに書き込まれた映像音声データとに基づき両方の映像音声データに差があるか否かを判定する第２制御部と、を備え、前記両方の映像音声データに差があると判定された場合、前記第１制御部は、前記映像音声データを前記ディスク記録部に再度書き込む録画装置とした。【選択図】図１
2012022747.tif 000002
【特許請求の範囲】
【請求項１】
ディスク記録部と、半導体メモリと、
前記ディスク記録部および前記半導体メモリの両方に映像音声データを書き込む第１制御部と、
前記ディスク記録部に書き込まれた映像音声データと、前記半導体メモリに書き込まれた映像音声データとに基づき両方の映像音声データに差があるか否かを判定する第２制御部と、を備え、
前記両方の映像音声データに差があると判定された場合、前記第１制御部は、前記映像音声データを前記ディスク記録部に再度書き込む、ことを特徴とする録画装置。
【請求項２】
前記第２制御部は、前記ディスク記録部に書き込まれた映像音声データと、前記半導体メモリに書き込まれた映像音声データとを１ビットずつ比較し、所定ビット数だけ異なれば、前記両方の映像音声データに差があると判定する、ことを特徴とする請求項１に記載の録画装置。
【請求項３】
前記両方の映像音声データに差があると判定された場合、前記第１制御部は、前記ディスク記録部および前記半導体メモリの両方に映像音声データを書き込んだときの前記ディスク記録部の記録領域である第１記録領域とは別の前記ディスク記録部の記録領域である第２記録領域に、前記映像音声データを再度書き込み、
前記第２制御部は、前記第２記録領域に書き込まれた映像音声データを前記第１記録領域に上書きする、ことを特徴とする請求項１または請求項２に記載の録画装置。
【請求項４】
前記両方の映像音声データに差があると判定された場合であっても、前記ディスク記録部の空き容量に余裕がない場合は、前記第１制御部は、前記映像音声データを前記第１記録領域に再度上書きする、ことを特徴とする請求項３に記載の録画装置。
【請求項５】
前記両方の映像音声データに差があると判定された場合、前記第１制御部は、前記ディスク記録部および前記半導体メモリの両方に映像音声データを書き込んだときの前記ディスク記録部の記録領域に、前記映像音声データを再度上書きする、ことを特徴とする請求項１または請求項２に記載の録画装置。
【請求項６】
前記ディスク記録部は、ＨＤＤ（Hard Disk Drive）であり、前記半導体メモリは、フラッシュメモリであることを特徴とする請求項１〜請求項５のいずれかに記載の録画装置。
【請求項７】
前記映像音声データは、ＴＳ（Transport Stream）データであることを特徴とする請求項１〜請求項６のいずれかに記載の録画装置。
【発明の詳細な説明】
【技術分野】
【０００１】
本発明は、録画装置に関するものである。
【背景技術】
【０００２】
従来から、アナログ放送番組、デジタル放送番組や、外部入力端子に接続された外部機器から入力される映像音声等を録画する録画機器が様々開発されている。
【０００３】
例えば、特許文献１には、受信不良により復調部にてＲＳ復号エラー信号を付加されたＴＳ（トランスポートストリーム）パケットは再生が不可能であるため蓄積装置に記録せず、ＲＳ復号エラーが付加されない正常なＴＳパケットは時間情報を付加して蓄積装置に記録させるデジタル放送記録装置や、ＲＳ復号エラーとなったＴＳパケットに対応する正常なＴＳパケットをユーザの指示によってコンテンツサーバからダウンロードし蓄積装置に記録させるデジタル放送記録再生装置が開示されている。
【０００４】
また、特許文献２には、通常の放送番組は第１復調部で受信・復調し、併せてダウンロードデータを第２復調部で受信・復調し、受信した番組が視聴中であっても使用者が意識しないでダウンロードデータをダウンロードすることができるデジタル放送受信記録装置が開示されている。
【０００５】
また、特許文献３には、トランスポートストリームからＰＭＴ（Program Map Table）パケットを抽出し、該ＰＭＴパケットにより規定される映像用のＴＳパケットの識別情報と音声用のＴＳパケットの識別情報とを有するＴＳパケットをトランスポートストリームから分離して再生用バッファまたは記録用バッファに供給する情報記録再生装置が開示されている。
【０００６】
また、特許文献４には、デジタル放送信号から生成される第１のトランスポートストリームとアナログ放送信号から生成される第２のトランスポートストリームとを同時に記録しておき、デジタル放送の受信状態が悪い部分の第１のトランスポートストリームを、この部分に対応する第２のトランスポートストリームで補填した複合トランスポートストリームを形成して保存するデジタル放送／アナログ放送受信記録装置が開示されている。
【先行技術文献】
【特許文献】
【０００７】
【特許文献１】特開２００９−２４６６０８号公報
【特許文献２】特開２００７−６７７７０号公報
【特許文献３】特開２００７−２８８５６６号公報
【特許文献４】特開２００４−８０６７４号公報
【発明の概要】
【発明が解決しようとする課題】
【０００８】
しかし、上記特許文献１〜４のいずれにおいても、映像音声データをディスク記録部に記録させる際に書き込みエラーが発生した場合の対策がとられておらず、このような場合に録画の失敗を防ぐことができないという問題があった。
【０００９】
上記問題点を鑑み、本発明は、ディスク記録部への書き込みエラーが発生した場合でも、良好な録画が可能となる録画装置を提供することを目的とする。
【課題を解決するための手段】
【００１０】
上記目的を達成するために本発明の録画装置は、ディスク記録部と、半導体メモリと、
前記ディスク記録部および前記半導体メモリの両方に映像音声データを書き込む第１制御部と、
前記ディスク記録部に書き込まれた映像音声データと、前記半導体メモリに書き込まれた映像音声データとに基づき両方の映像音声データに差があるか否かを判定する第２制御部と、を備え、
前記両方の映像音声データに差があると判定された場合、前記第１制御部は、前記映像音声データを前記ディスク記録部に再度書き込む構成としている。
【００１１】
このような構成によれば、ディスク記録部よりも書き込みの信頼性の高い半導体メモリに書き込んだ映像音声データを正しいデータとして、ディスク記録部に書き込んだ映像音声データとの差があると判定すれば、ディスク記録部への書き込みエラーが発生したとして、ディスク記録部に映像音声データを再度書き込む。これにより、書き込みエラーが発生した場合でも、良好な録画が可能となる。
【００１２】
また、上記構成において、前記第２制御部は、前記ディスク記録部に書き込まれた映像音声データと、前記半導体メモリに書き込まれた映像音声データとを１ビットずつ比較し、所定ビット数だけ異なれば、前記両方の映像音声データに差があると判定する構成としてもよい。
【００１３】
また、上記いずれかの構成において、前記両方の映像音声データに差があると判定された場合、前記第１制御部は、前記ディスク記録部および前記半導体メモリの両方に映像音声データを書き込んだときの前記ディスク記録部の記録領域である第１記録領域とは別の前記ディスク記録部の記録領域である第２記録領域に、前記映像音声データを再度書き込み、
前記第２制御部は、前記第２記録領域に書き込まれた映像音声データを前記第１記録領域に上書きする構成としてもよい。
【００１４】
また、この構成において、前記両方の映像音声データに差があると判定された場合であっても、前記ディスク記録部の空き容量に余裕がない場合は、前記第１制御部は、前記映像音声データを前記第１記録領域に再度上書きする構成としてもよい。
【００１５】
また、上記いずれかの構成において、前記両方の映像音声データに差があると判定された場合、前記第１制御部は、前記ディスク記録部および前記半導体メモリの両方に映像音声データを書き込んだときの前記ディスク記録部の記録領域に、前記映像音声データを再度上書きする構成としてもよい。
【００１６】
また、上記いずれかの構成において、前記ディスク記録部は、ＨＤＤ（Hard Disk Drive）であり、前記半導体メモリは、フラッシュメモリであってもよい。
【００１７】
また、上記いずれかの構成において、前記映像音声データは、ＴＳ（Transport Stream）データであってもよい。
【発明の効果】
【００１８】
本発明の録画装置によれば、ディスク記録部への書き込みエラーが発生した場合でも、良好な録画が可能となる。
【図面の簡単な説明】
【００１９】
【図１】本発明の一実施形態に係るハードディスクレコーダの概略構成図である。
【図２】本発明に係る録画処理の第１実施形態に関するフローチャートである。
【図３】本発明に係る録画処理の第２実施形態に関するフローチャートである。
【図４】本発明に係る録画処理の第３実施形態に関するフローチャートである。
【発明を実施するための形態】
【００２０】
以下に本発明の実施形態を図面を参照して説明する。ここでは、デジタル放送受信機能を有したハードディスクレコーダを一例に挙げて説明する。
【００２１】
図１は、本発明の一実施形態であるハードディスクレコーダ１００の概略構成図を示す。図１に示すよう、ハードディスクレコーダ１００は、チューナ２と、復調ＩＣ３と、ＤＥＭＵＸ（デマルチプレクサ）４と、ＡＶデコーダ５と、映像音声信号出力部６と、第１ＭＰＵ（Micro Processing Unit）７と、ＨＤＤ（Hard Disk Drive）８と、フラッシュメモリ９と、第２ＭＰＵ１０とを備えている。また、チューナ２にはアンテナ１が接続される。
【００２２】
チューナ２は、アンテナ１から受信したデジタル放送信号から選局周波数の放送信号を選局し、選局された放送信号を復調ＩＣ３に出力する。復調ＩＣ３は、受信した放送信号をＯＦＤＭ（Orthogonal Frequency Division Multiplexing）方式で復調し、ビダビ復号等を用いて誤り訂正を行いＴＳ（Transport Stream）データを取り出す。
【００２３】
ＤＥＭＵＸ４は、ＴＳデータからＡＶストリームデータを抽出しＡＶデコーダ５に出力する。ＡＶデコーダ５は、ＡＶストリームデータをデコードし、映像データおよび音声データを映像音声信号出力部６に出力する。これにより、映像音声信号出力部６に接続される不図示のテレビジョン等によりユーザは受信した放送番組を視聴することができる。
【００２４】
また、第１ＭＰＵ７は、ハードディスクレコーダ１００を統括的に制御する演算処理装置であり、録画時はＨＤＤ８およびフラッシュメモリ９へＴＳデータを書き込む。ＨＤＤ８は、ハードディスクを有した大容量記憶装置である。フラッシュメモリ９は、書き換え可能な不揮発性の半導体メモリである。
【００２５】
第２ＭＰＵ１０は、第１ＭＰＵ７と同等かそれより低い処理能力の演算処理装置であり、後述するＨＤＤ８およびフラッシュメモリ９に書き込まれたＴＳデータの比較等、録画時の制御を専用に行う。
【００２６】
次に、ハードディスクレコーダ１００による録画処理について以下説明する。
【００２７】
図２は、ハードディスクレコーダ１００による録画処理の第１実施形態に関するフローチャートである。
【００２８】
不図示の録画ボタンが操作されたり、現在時刻が予約された録画開始時刻になる等すれば、フローチャートが開始され、まず、ステップＳ２０で、第１ＭＰＵ７は、ＨＤＤ８およびフラッシュメモリ９の両方にＴＳデータを書き込む。書き込むＴＳデータはＨＤＤ８の１セクタ分である。
【００２９】
次に、ステップＳ２１で、第２ＭＰＵ１０は、第１ＭＰＵ７から指令を受け、ＨＤＤ８およびフラッシュメモリ９からＴＳデータを読み取り、読み取ったＴＳデータを比較する。
【００３０】
比較の結果、ＴＳデータに差があると判定すれば（ステップＳ２２のＹ）、ステップＳ２３に進み、第１ＭＰＵ７は、第２ＭＰＵ１０から指令を受け、ＨＤＤ８におけるステップＳ２０の書き込み時のセクタとは別のセクタに再度ＴＳデータを書き込む。ステップＳ２３の後、ステップＳ２４に進む。
【００３１】
ここでは、読み取ったＴＳデータを１ビットずつ比較して、１ビットでも異なるビットがあれば、ＴＳデータに差があると判定すればよい。なお、複数の所定ビット数だけ異なるビットがあった場合に、ＴＳデータに差があると判定するようにしてもよい。
【００３２】
ＴＳデータに差がないと判定した場合は（ステップＳ２２のＮ）、第２ＭＰＵ１０がその旨を第１ＭＰＵ７に通知し、ステップＳ２４に進む。
【００３３】
ステップＳ２４で、第１ＭＰＵ７は録画終了か否かを判定し、録画終了でなければ（ステップＳ２４のＮ）、ステップＳ２０に戻り、第１ＭＰＵ７は、新たなＴＳデータをＨＤＤ８およびフラッシュメモリ９に書き込む。なお、フラッシュメモリ９には上書きで書き込む。
【００３４】
そして、ステップＳ２４で録画終了と判定されれば（ステップＳ２４のＹ）、ステップＳ２５に進み、第２ＭＰＵ１０は、第１ＭＰＵ７から指令を受け、ステップＳ２３で別セクタに書き込まれたＴＳデータを、対応するステップＳ２０で書き込んだセクタに上書きしてゆく。もし、上書きに失敗すれば、上書きをリトライする。そして、全部の上書きが終了すれば、ステップＳ２３で別セクタに書き込まれた全ＴＳデータを消去する。これにより、ＨＤＤ８において１つの録画データ（ＴＳデータ）になるよう編集される。
【００３５】
ステップＳ２５の後、処理は終了となる（エンド）。
【００３６】
このような第１実施形態によれば、ＨＤＤ８およびフラッシュメモリ９の両方にＴＳデータを書き込み、フラッシュメモリ９はＨＤＤ８に比べて書き込みの信頼性が高いので、フラッシュメモリ９に書き込まれたＴＳデータを正しいデータとして、ＨＤＤ８に書き込まれたＴＳデータと比較を行う。もし、ＨＤＤ８への書き込みエラーが発生した場合は、ＴＳデータに差があると判定され、ＨＤＤ８の別セクタへＴＳデータが再度書き込まれる。そして、最後に、別セクタへ書き込まれたＴＳデータを対応するセクタに上書きして、ＨＤＤ８において１つの録画データを作成するので、ＨＤＤ８への書き込みエラーが発生した場合でも良好な録画を行うことができる。
【００３７】
また、図３は、ハードディスクレコーダ１００による録画処理の第２実施形態に関するフローチャートである。
【００３８】
第２実施形態の第１実施形態との相違は、ステップＳ３３で、第１ＭＰＵ７が、ＨＤＤ８の別セクタにＴＳデータを再度書き込むのではなく、ステップＳ３０で書き込んだセクタにＴＳデータを再度上書きしていることである。このように上書きをするので、ステップＳ３４で録画終了と判定された場合、既にＨＤＤ８において１つの録画データが作成されているので、そのまま処理は終了となる（エンド）。
【００３９】
このような第２実施形態によれば、ＨＤＤ８へのＴＳデータの書き込みエラーが発生した場合でも、再度ＴＳデータが上書きされるので、良好な録画を行うことができる。また、最後に１つの録画データに編集する必要がないので、録画処理時間を短縮することもできる。
【００４０】
また、図４は、ハードディスクレコーダ１００による録画処理の第３実施形態に関するフローチャートである。
【００４１】
ステップＳ４０、Ｓ４１、Ｓ４２は、上述した第１実施形態のステップＳ２０、Ｓ２１、Ｓ２２（図２）と同様である。ステップＳ４２で、ＴＳデータに差があると判定された場合（ステップＳ４２のＹ）、ステップＳ４３に進み、第２ＭＰＵ１０は、ＨＤＤ８の空き容量が所定量以上か否かを判定する。
【００４２】
もし所定量以上であれば（ステップＳ４３のＹ）、ステップＳ４４に進み、第１ＭＰＵ７は、第２ＭＰＵ１０から指令を受け、ＨＤＤ８におけるステップＳ４０の書き込み時のセクタとは別のセクタに再度ＴＳデータを書き込む。一方、空き容量が所定量以上でなければ（ステップＳ４３のＮ）、ステップＳ４５に進み、第１ＭＰＵ７は、第２ＭＰＵ１０から指令を受け、ＨＤＤ８におけるステップＳ４０の書き込み時のセクタに再度ＴＳデータを上書きする。
【００４３】
ステップＳ４４、Ｓ４５の後、またはステップＳ４２でＴＳデータに差がないと判定された場合（ステップＳ４２のＮ）、ステップＳ４６に進み、第１ＭＰＵ７は録画終了か否かを判定する。録画終了でなければ（ステップＳ４６のＮ）、ステップＳ４０に戻り、第１ＭＰＵ７は、新たなＴＳデータをＨＤＤ８およびフラッシュメモリ９に書き込む。なお、フラッシュメモリ９には上書きで書き込む。
【００４４】
そして、録画終了と判定されると（ステップＳ４６のＹ）、ステップＳ４７に進み、第１実施形態のステップＳ２５と同様の処理により、ＨＤＤ８において１つの録画データになるよう編集され、処理は終了となる（エンド）。
【００４５】
このような第３実施形態によれば、ＨＤＤ８へのＴＳデータの書き込みエラーが発生した場合、ＨＤＤ８の空き容量に余裕があれば、ＨＤＤ８の別セクタへＴＳデータを再度書き込み、空き容量に余裕がなければ、ＨＤＤ８においてＴＳデータを再度上書きする。そして、最後に１つの録画データとなるよう編集するので、書き込みエラーが発生した場合でも良好な録画が可能となる。
【００４６】
以上、本発明の実施形態について説明したが、本発明の趣旨の範囲内であれば、実施形態は種々変更が可能である。
【００４７】
例えば、ＨＤＤ８およびフラッシュメモリ９にＴＳデータを書き込む際、エラー検出用データを付加したＴＳデータを数セクタ分書き込み、第２ＭＰＵ１０が、ＨＤＤ８およびフラッシュメモリ９から数セクタ分のデータを読み出して、それぞれのエラー検出を行いエラーレートを算出し、各エラーレートが大きく異なっていれば、ＴＳデータに差があると判定するようにしてもよい。
【００４８】
また、上記実施形態では、ＴＳデータのＨＤＤ８およびフラッシュメモリ９への書き込み等を１セクタ単位で行っていたが、複数セクタ単位で行ってもよい。
【００４９】
また、例えば、放送番組の録画に限らず、外部入力端子に接続された外部機器（ビデオカメラ等）が再生する映像音声の録画に本発明の録画処理を適用してもよい。
【００５０】
また、ＨＤＤ８の代わりにＢｌｕ−ｒａｙ  ＤｉｓｃドライブやＤＶＤドライブ等の光ディスクドライブを用いてもよいし、フラッシュメモリ９の代わりにＲＡＭ等を用いてもよい。
【符号の説明】
【００５１】
１  アンテナ
２  チューナ
３  復調ＩＣ
４  ＤＥＭＵＸ
５  ＡＶデコーダ
６  映像音声信号出力部
７  第１ＭＰＵ
８  ＨＤＤ
９  フラッシュメモリ
１０  第２ＭＰＵ
１００  ハードディスクレコーダ
【図１】
2012022747.tif 000003
【図２】
2012022747.tif 000004
【図３】
2012022747.tif 000005
【図４】
2012022747.tif 000006